(57)【要約】      （修正有）【課題】強度を保ちつつ、通気性や光の透過性を高めたパンチング加工が施された合皮又は革の部材を提供する。【解決手段】表革と内革とに、それぞれパンチング加工がされ、当該表革のパンチング加工により開いた穴の数が、当該内革のパンチング加工により開いた穴の数よりも多く、当該パンチング加工により開いた穴を基準として、当該表革と当該内革とを一体化させることにより製造された、前記表革と前記内革とから構成される、合皮製品又は革製品に使用される合皮又は革の部材。【選択図】図１
0003179332.tif 000002
【実用新案登録請求の範囲】
【請求項１】
表革と内革とに、それぞれパンチング加工がされ、
当該表革のパンチング加工により開いた穴の数が、当該内革のパンチング加工により開いた穴の数よりも多く、
当該パンチング加工により開いた穴を基準として、当該表革と当該内革とを一体化させることにより製造された、
前記表革と前記内革とから構成される、合皮製品又は革製品に使用される合皮又は革の部材。
【請求項２】
表革と内革とに、それぞれパンチング加工がされ、
当該表革と当該内革との間の一部に、補強部材をはさみこんで、
前記パンチング加工により開いた穴を基準として、当該表革と当該内革とを一体化させることにより製造された、
前記表革と前記補強部材と前記内革とから構成される、合皮製品又は革製品に使用される合皮又は革の部材。
【請求項３】
表革と内革と補強部材とに、それぞれパンチング加工がされ、
当該表革のパンチング加工により開いた穴の数が、当該補強部材のパンチング加工により開いた穴の数よりも多く、
当該表革と当該内革との間に、当該補強部材をはさみこんで、
前記パンチング加工により開いた穴を基準として、当該表革と当該補強部材と当該内革とを一体化させることにより製造された、
前記表革と前記補強部材と前記内革とから構成される、合皮製品又は革製品に使用される合皮又は革の部材。
【請求項４】
前記表革のパンチング加工により開いた穴から見える、
前記補強部材の色や模様の集合、
前記内革の色や模様の集合、
前記補強部材及び内革のパンチング加工により開いた穴の集合、
により、模様を表現したこと、
を特徴とする、請求項２又は３記載の合皮製品又は革製品に使用される合皮又は革の部材。
【請求項５】
表革と内革とを一体化させた後に、
表革方向から、パンチング加工がされ、
当該パンチング加工は、
当該表革及び内革に穴を開けている部分もあり、
当該表革のみに穴を開け、当該内革には穴を開けない部分があること、
を特徴とする、前記表革と前記内革とから構成される、合皮製品又は革製品に使用される合皮又は革の部材。
【請求項６】
表革と内革との間の一部に、補強部材をはさみこんで、表革と内革とを一体化させた後に、
少なくとも、表革方向からパンチング加工がされ、
当該パンチング加工は、
当該表革、補強部材及び内革に穴を開けている部分もあり、
当該表革に穴を開けつつも、当該補強部材及び内革には穴を開けない部分があること、
を特徴とする、前記表革と前記補強部材と前記内革とから構成される、合皮製品又は革製品に使用される合皮又は革の部材。
【請求項７】
表革と内革との間に、補強部材をはさみこんで、表革と内革とを一体化させた後に、
表革方向からパンチング加工がされ、
当該表革方向からのパンチング加工は、
当該表革、補強部材及び内革に穴を開けている部分もあり、
当該表革に穴を開けつつも、当該補強部材には穴を開けない部分があること、
前記表革方向からパンチング加工された部分と対応する部分に、
内革方向からパンチング加工がされ、
当該内革方向からのパンチング加工は、
当該内革、補強部材及び表革に穴を開けている部分もあり、
当該内革に穴を開けつつも、当該補強部材には穴を開けない部分があること、
を特徴とする、前記表革と前記補強部材と前記内革とから構成される、合皮製品又は革製品に使用される合皮又は革の部材。
【請求項８】
前記表革のパンチング加工により開いた穴から見える、
前記補強部材の色や模様の集合、
前記内革の色や模様の集合、
前記補強部材及び内革のパンチング加工により開いた穴の集合、
により、模様を表現したこと、
を特徴とする、請求項６又は７記載の合皮製品又は革製品に使用される合皮又は革の部材。
【請求項９】
前記補強部材は、透光性を有する材料でできていること、
を特徴とする、請求項２乃至４、請求項６乃至８の、いずれか１に記載の合皮製品又は革製品に使用される合皮又は革の部材。
【請求項１０】
前記補強部材は、厚みが一定ではなく、
当該補強部材の厚みの凸凹により、前記表革から見て模様を表現したこと、
を特徴とする、請求項２乃至４、請求項６乃至８、いずれか１に記載の合皮製品又は革製品に使用される合皮又は革の部材。
【請求項１１】
前記表革と前記内革の、両方又は一方が、豚革であること、
を特徴とする、請求項１乃至１０、いずれか１に記載の合皮製品又は革製品に使用される合皮又は革の部材。
【考案の詳細な説明】
【技術分野】
【０００１】
本発明は、合皮又は革の部材に関するものであり、合皮又は革の財布、鞄、コート、手袋、靴、等に利用される合皮又は革の部材に関するものである。
【背景技術】
【０００２】
従来、革でできている鞄や靴等のうち、パンチング加工がされている製品が存在した。
【０００３】
「パンチング加工」とは、部材に三角や四角、円形等の穴を複数あける加工法のことであり、独特の表面効果が出る。
レザーや毛皮等の革製品について「パンチング加工」をすると、通気性がよくなり、軽い感じになる。
【０００４】
そして、従来の革製品についての「パンチング加工」は、１枚の革又は合皮に小さな穴を開けることにより行っていた。
また、表革と内革を、あらかじめ張り合わせてから、パンチング加工し、靴やカバンを作ることもあった。
【０００５】
例えば、靴に関しては、以下の特許文献が存在する。
【先行技術文献】
【特許文献】
【０００６】
【特許文献１】実用新案登録３１０３２３６号公報
【特許文献２】実用新案登録３１５３０９５号公報
【考案の概要】
【考案が解決しようとする課題】
【０００７】
しかし、上記説明したような、従来の革製品についての「パンチング加工」では、通気性や光の透過性は高まるものの、革の素材としての強度が低下してしまう、という不都合があった。
【０００８】
そこで、本願に係る考案は、上記説明したような、従来の革製品についての「パンチング加工」に比べて、強度を保ちつつ、通気性や光の透過性は高める手段の提供等を課題とする。
【０００９】
また、本願に係る考案は、表面のデザインが単調になりがちな革製品のデザイン性を高めるための構造を採用した、合皮又は革の部材の提供等を課題とする。
【課題を解決するための手段】
【００１０】
１、
【００１１】
（１）
【００１２】
そこで、本考案に係る合皮又は革の部材は、
表革と内革とに、それぞれパンチング加工がされ、
当該表革のパンチング加工により開いた穴の数が、当該内革のパンチング加工により開いた穴の数よりも多く、
当該パンチング加工により開いた穴を基準として、当該表革と当該内革とを一体化させることにより製造された、
前記表革と前記内革とから構成される、合皮製品又は革製品に使用される合皮又は革の部材である。
【００１３】
（２）
【００１４】
「革」とは、動物の皮膚を生のまま、もしくは、なめしてあるものを指し、天然皮革、本革ともいう。「革」の種類として、哺乳類（牛、豚、馬、羊、山羊、カンガルー等）、爬虫類、鳥類、魚類、の革がある。
「合皮」とは、皮革に似せて作られた人工素材である「人造皮革」の俗称であって、「合皮」には、「合成皮革」、「人工皮革」の種類がある。
「合成皮革」は、天然の布地を基材とし、合成樹脂を塗布したものである。
「人工皮革」は、マイクロファイバーの布地（通常不織布）に合成樹脂を含浸させたものを、そのまま使うか、それを基材とし合成樹脂を塗布したものである。
【００１５】
「表革」とは、合皮製品又は革製品の製造に使用される際に表面となる、合皮又は革による部材である。
「内革」とは、合皮製品又は革製品の製造に使用される際に裏面（内側面）となる、合皮又は革による部材である。
合皮製品又は革製品に使用される合皮又は革の部材となるため、他の部材との組み合わせ等の関係上、「表革」と「内革」との大きさが、必ずしも一致している必要まではない。
【００１６】
「パンチング加工」とは、材料に穴をあける加工作業をいい、本願では、合皮又は革による部材や、補強部材に穴を開ける加工をいう。
また、「パンチング加工」は、人手による加工も、機械による加工も、両方含まれる。
但し、本願でいう「パンチング加工」は、円形の穴だけでなく、デザイン性の観点も考慮し三角や四角等の多角形の形状の穴、ハートマーク形状の穴、星形状の穴、キャラクターのマークの形の穴、等の、各種の形状の穴も含む。
「パンチング加工」によりあける穴の大きさは、様々な大きさが考えられるが、例えば、直径１ｍｍから５０ｍｍとすることが考えられる。
【００１７】
「表革のパンチング加工により開いた穴の数が、内革のパンチング加工により開いた穴の数よりも多い」ことにより、「パンチング加工により開いた穴を基準として、表革と内革とを一体化させる」際に、表革のパンチング加工により開いた穴と内革のパンチング加工により開いた穴との全体又は一部が一致する部分も生じるし、表革のパンチング加工により開いた穴が内革で塞がれる部分も生じる。
「パンチング加工により開いた穴を基準として、表革と内革とを一体化させる」とは、合皮製品又は革製品に使用される合皮又は革の部材として機能するように、接着剤等で一体化させることを意味する。接着剤等は、無機系、有機系、等の各種の接着剤が考えられる。
「合皮製品又は革製品」の例として、衣服・衣料品（コート、パンツ、ライディングウェアなど）、装身具、革靴、鞄、ベルト、サスペンダー、椅子の表張り、自動車のシートやダッシュボード、などが該当する。
【００１８】
（３）
【００１９】
本願に係る考案は、それぞれパンチング加工した表革と内革の、パンチングの穴の位置を一致させ、一体化させる。
表革のパンチング加工により開いた穴の数が、当該内革のパンチング加工により開いた穴の数よりも多いため、「パンチング加工により開いた穴を基準として、表革と内革とを一体化させる」際に、表革のパンチング加工により開いた穴と内革のパンチング加工により開いた穴との全体又は一部が一致する部分も生じるし、表革のパンチング加工により開いた穴が内革で塞がれる部分も生じる。
これにより、表革のパンチング加工により開いた穴と内革のパンチング加工により開いた穴との全体又は一部が一致する部分は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
また、表革のパンチング加工により開いた穴が内革で塞がれる部分は、内革の色や模様が表革のパンチングの穴から見えることになるため、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【００２０】
２、
【００２１】
（１）
【００２２】
また、他の考案に係る合皮又は革の部材は、
表革と内革とに、それぞれパンチング加工がされ、
当該表革と当該内革との間の一部に、補強部材をはさみこんで、
前記パンチング加工により開いた穴を基準として、当該表革と当該内革とを一体化させることにより製造された、
前記表革と前記補強部材と前記内革とから構成される、合皮製品又は革製品に使用される合皮又は革の部材である。
【００２３】
（２）
【００２４】
「表革と内革との間の一部に、補強部材をはさみこんで」とは、表革と内革とが重なる部分のうち、一部に、補強部材をはさみこんで、という意味である。
「パンチング加工により開いた穴を基準として、表革と内革とを一体化させる」際に、表革のパンチング加工により開いた穴と内革のパンチング加工により開いた穴との全体又は一部が一致する部分が生じる可能性もあるし、表革のパンチング加工により開いた穴が内革で塞がれる部分も生じる可能性もある。
「パンチング加工により開いた穴を基準として、一体化させる」とは、一体化させる部材のパンチング加工により開いた穴が同数である必要まではないし、一体化させる部材のパンチング加工により開いた穴どうしの位置が一致する部分（全体又は一部が一致する部分）がある程度生じればよい、というくらいの意味である。
なお、「表革と内革との間の一部に、補強部材をはさみこんで」いるため、当該補強部材をはさみこんでいる部分が、表革のパンチング加工により開いた穴と内革のパンチング加工により開いた穴との全体又は一部が一致する部分に該当する場合もあるし、一致しない部分に該当する場合もある。
「補強部材」とは、合皮又は革の部材の補強のための部材であって、その材料は、シート状又はテープ状の透明・半透明・不透明の不織布や、繊維製品に用いられる芯材（襟芯・帯芯等）、が考えられる。また、着色された補強部材も考えられるし、パンチング加工されていない補強部材も、パンチング加工された補強部材も考えられる。
【００２５】
（３）
【００２６】
本願に係る考案は、それぞれパンチング加工した表革と内革の、パンチングの穴の位置を一致させ、一体化させる。
補強部材をはさみこんでいる部分が、表革のパンチング加工により開いた穴と内革のパンチング加工により開いた穴との全体又は一部が一致する部分に該当する場合は、補強部材の色や模様が表革のパンチングの穴から見えることになり、光の透過性を高めることができ、デザイン性の追及に活用することができる。
補強部材をはさみこんでいない部分が、表革のパンチング加工により開いた穴と内革のパンチング加工により開いた穴との全体又は一部が一致する部分に該当する場合は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
補強部材をはさみこんでいない部分が、表革のパンチング加工により開いた穴と内革のパンチング加工により開いた穴との全体又は一部が一致する部分に該当しない場合は、内革の色や模様が表革のパンチングの穴から見えることになり、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【００２７】
３、
【００２８】
（１）
【００２９】
また、他の考案に係る合皮又は革の部材は、
表革と内革と補強部材とに、それぞれパンチング加工がされ、
当該表革のパンチング加工により開いた穴の数が、当該補強部材のパンチング加工により開いた穴の数よりも多く、
当該表革と当該内革との間に、当該補強部材をはさみこんで、
前記パンチング加工により開いた穴を基準として、当該表革と当該補強部材と当該内革とを一体化させることにより製造された、
前記表革と前記補強部材と前記内革とから構成される、合皮製品又は革製品に使用される合皮又は革の部材である。
【００３０】
（２）
【００３１】
合皮製品又は革製品に使用される合皮又は革の部材となるため、他の部材との組み合わせ等の関係上、「表革」と「内革」と「補強部材」との大きさが、必ずしも一致している必要まではない。
「表革のパンチング加工により開いた穴の数が、補強部材のパンチング加工により開いた穴の数よりも多い」ことにより、「パンチング加工により開いた穴を基準として、表革と補強部材と内革とを一体化させる」際に、表革のパンチング加工により開いた穴と内革のパンチング加工により開いた穴や補強部材のパンチング加工により開いた穴との全体又は一部が一致する部分も生じるし、表革のパンチング加工により開いた穴が補強部材や内革で塞がれる部分も生じる。
「パンチング加工により開いた穴を基準として、表革と補強部材と内革とを一体化させる」とは、合皮製品又は革製品に使用される合皮又は革の部材として機能するように、接着剤等で一体化させることを意味する。
【００３２】
（３）
【００３３】
本願に係る考案は、それぞれパンチング加工した表革と補強部材と内革の、パンチングの穴の位置を一致させ、一体化させる。
表革のパンチング加工により開いた穴の数が、補強部材のパンチング加工により開いた穴の数よりも多いため、「パンチング加工により開いた穴を基準として、表革と補強部材と内革とを一体化させる」際に、表革のパンチング加工により開いた穴と内革のパンチング加工により開いた穴や補強部材のパンチング加工により開いた穴との全体又は一部が一致する部分も生じるし、表革のパンチング加工により開いた穴が補強部材や内革で塞がれる部分も生じる。
これにより、表革のパンチング加工により開いた穴と、内革のパンチング加工により開いた穴及び補強部材のパンチング加工により開いた穴との全体又は一部が一致する部分は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
また、表革のパンチング加工により開いた穴が補強部材又は内革で塞がれる部分は、補強部材又は内革の色や模様が表革のパンチングの穴から見えることになるため、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【００３４】
４、
【００３５】
（１）
【００３６】
また、他の考案に係る合皮又は革の部材は、
前記表革のパンチング加工により開いた穴から見える、
前記補強部材の色や模様の集合、
前記内革の色や模様の集合、
前記補強部材及び内革のパンチング加工により開いた穴の集合、
により、模様を表現したこと、
を特徴とする、前記の合皮製品又は革製品に使用される合皮又は革の部材である。
【００３７】
（２）
【００３８】
「表革のパンチング加工により開いた穴から見える、補強部材の色や模様の集合」とは、表革のパンチング加工により開いた穴から見える、パンチング加工による穴が開いていない補強部材の色や模様の集合をいう。
「表革のパンチング加工により開いた穴から見える、内革の色や模様の集合」とは、表革のパンチング加工により開いた穴から、パンチング加工により補強部材に開いた穴を通して見える、パンチング加工による穴が開いていない内革の色や模様の集合をいう。
「表革のパンチング加工により開いた穴から見える、補強部材の色や模様の集合、内革の色や模様の集合、補強部材及び内革のパンチング加工により開いた穴の集合、により、模様を表現した」とは、補強部材の色や模様の集合のみで模様を表現する場合も含むし、内革の色や模様の集合のみで模様を表現する場合も含むし、補強部材及び内革のパンチング加工により開いた穴の集合のみで模様を表現する場合も含むし、これらの集合の組み合わせで模様を表現する場合も含む。
「集合により表現する模様」の例として、星形、円形、四角、ひし形、キャラクターの図形、ブランドマーク、ロゴマーク等の各種の模様が該当する。
【００３９】
（３）
【００４０】
本願に係る考案は、表革のパンチング加工により開いた穴から見える、補強部材の色や模様の集合、内革の色や模様の集合、補強部材及び内革のパンチング加工により開いた穴の集合、により、模様を表現することで、デザイン性の追及に活用することができる。
また、補強部材及び内革のパンチング加工により開いた穴の集合、により、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【００４１】
５、
【００４２】
（１）
【００４３】
また、他の考案に係る合皮又は革の部材は、
表革と内革とを一体化させた後に、
表革方向から、パンチング加工がされ、
当該パンチング加工は、
当該表革及び内革に穴を開けている部分もあり、
当該表革のみに穴を開け、当該内革には穴を開けない部分があること、
を特徴とする、前記表革と前記内革とから構成される、合皮製品又は革製品に使用される合皮又は革の部材である。
【００４４】
（２）
【００４５】
本願に係る考案は、表革と内革とを一体化させた後に、表革方向から、パンチング加工がされる。
パンチング加工により、表革及び内革に穴を開けている部分もあり、表革のみに穴を開け、当該内革には穴を開けない部分があるため、表革のパンチング加工により開いた穴と内革のパンチング加工により開いた穴とが一致する部分も生じるし、表革のパンチング加工により開いた穴が内革で塞がれる部分も生じる。
これにより、表革のパンチング加工により開いた穴と内革のパンチング加工により開いた穴とが一致する部分は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
また、表革のパンチング加工により開いた穴が内革で塞がれる部分は、内革の色や模様が表革のパンチングの穴から見えることになるため、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【００４６】
６、
【００４７】
（１）
【００４８】
また、他の考案に係る合皮又は革の部材は、
表革と内革との間の一部に、補強部材をはさみこんで、表革と内革とを一体化させた後に、
少なくとも、表革方向からパンチング加工がされ、
当該パンチング加工は、
当該表革、補強部材及び内革に穴を開けている部分もあり、
当該表革に穴を開けつつも、当該補強部材及び内革には穴を開けない部分があること、
を特徴とする、前記表革と前記補強部材と前記内革とから構成される、合皮製品又は革製品に使用される合皮又は革の部材である。
【００４９】
（２）
【００５０】
「少なくとも、表革方向からパンチング加工がされ」とは、表革と内革との間の一部に、補強部材をはさみこんで、表革と内革とを一体化させた後に、少なくとも表革方向からパンチング加工がされ、内革方向からのパンチング加工がされるか否かは、必須ではない（される場合も、されない場合も含む）、という意味である。
【００５１】
（３）
【００５２】
本願に係る考案は、表革と内革との間の一部に補強部材をはさみこんで、表革と内革とを一体化させた後に、少なくとも、表革方向から、パンチング加工がされる。
補強部材をはさみこんでいる部分が、表革のパンチング加工により開いた穴と内革のパンチング加工により開いた穴との全体又は一部が一致する部分に該当する場合は、補強部材の色や模様が表革のパンチングの穴から見えることになり、光の透過性を高めることができ、デザイン性の追及に活用することができる。
補強部材をはさみこんでいない部分が、表革のパンチング加工により開いた穴と内革のパンチング加工により開いた穴との全体又は一部が一致する部分に該当する場合は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
補強部材をはさみこんでいない部分が、表革のパンチング加工により開いた穴と内革のパンチング加工により開いた穴との全体又は一部が一致する部分に該当しない場合は、内革の色や模様が表革のパンチングの穴から見えることになり、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【００５３】
７、
【００５４】
（１）
【００５５】
また、他の考案に係る合皮又は革の部材は、
表革と内革との間に、補強部材をはさみこんで、表革と内革とを一体化させた後に、
表革方向からパンチング加工がされ、
当該表革方向からのパンチング加工は、
当該表革、補強部材及び内革に穴を開けている部分もあり、
当該表革に穴を開けつつも、当該補強部材には穴を開けない部分があること、
前記表革方向からパンチング加工された部分と対応する部分に、
内革方向からパンチング加工がされ、
当該内革方向からのパンチング加工は、
当該内革、補強部材及び表革に穴を開けている部分もあり、
当該内革に穴を開けつつも、当該補強部材には穴を開けない部分があること、
を特徴とする、前記表革と前記補強部材と前記内革とから構成される、合皮製品又は革製品に使用される合皮又は革の部材である。
【００５６】
（２）
【００５７】
「表革方向からパンチング加工された部分と対応する部分」とは、表革方向からパンチング加工により開いた穴と全体又は一部が一致する、対応する内革の部分に、という意味である。
【００５８】
（３）
【００５９】
本願に係る考案は、表革と内革との間に補強部材をはさみこんで、表革と内革とを一体化させた後に、表革方向と内革方向から、パンチング加工がされる。
表革方向からのパンチング加工及び内革方向からのパンチング加工により、表革、補強部材及び内革に穴を開けている部分もあり、表革及び内革に穴を開けつつも、当該補強部材には穴を開けない部分もある。よって、表革及び内革のパンチング加工により開いた穴と補強部材のパンチング加工により開いた穴との全体又は一部が一致する部分も生じるし、表革のパンチング加工により開いた穴や、内革のパンチング加工により開いた穴が、補強部材で塞がれる部分も生じる。
これにより、表革及び内革のパンチング加工により開いた穴と補強部材のパンチング加工により開いた穴との全体又は一部が一致する部分は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
また、表革及び内革のパンチング加工により開いた穴が補強部材で塞がれる部分は、補強部材の色や模様が表革のパンチングの穴から見えることになるため、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【００６０】
８、
【００６１】
（１）
【００６２】
また、他の考案に係る合皮又は革の部材は、
前記表革のパンチング加工により開いた穴から見える、
前記補強部材の色や模様の集合、
前記内革の色や模様の集合、
前記補強部材及び内革のパンチング加工により開いた穴の集合、
により、模様を表現したこと、
を特徴とする、前記の合皮製品又は革製品に使用される合皮又は革の部材である。
【００６３】
（２）
【００６４】
本願に係る考案は、表革のパンチング加工により開いた穴から見える、補強部材の色や模様の集合、内革の色や模様の集合、補強部材及び内革のパンチング加工により開いた穴の集合、により、模様を表現することで、デザイン性の追及に活用することができる。
また、補強部材及び内革のパンチング加工により開いた穴の集合、により、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【００６５】
９、
【００６６】
（１）
【００６７】
また、他の考案に係る合皮又は革の部材は、
前記補強部材は、透光性を有する材料でできていること、
を特徴とする、前記の合皮製品又は革製品に使用される合皮又は革の部材である。
【００６８】
（２）
【００６９】
「透光性を有する材料」として、例えば、透明・半透明の不織布や、繊維製品に用いられる芯材（襟芯・帯芯等）、また、これらを着色したものも考えられる。
【００７０】
（３）
【００７１】
補強部材が、透光性を有することにより、表革及び内革のパンチング加工により開いた穴が補強部材で塞がれる部分は、光の透過性を高めることができ、デザイン性の追及に活用することができる。
また、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
【００７２】
１０、
【００７３】
（１）
【００７４】
また、他の考案に係る合皮又は革の部材は、
前記補強部材は、厚みが一定ではなく、
当該補強部材の厚みの凸凹により、前記表革から見て模様を表現したこと、
を特徴とする、前記の合皮製品又は革製品に使用される合皮又は革の部材である。
【００７５】
（２）
【００７６】
補強部材は、厚みが一定ではなく、当該補強部材の厚みの凸凹により、表革から見て模様を表現しているため、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【００７７】
１１、
【００７８】
（１）
【００７９】
また、他の考案に係る合皮又は革の部材は、
前記表革と前記内革の、両方又は一方が、豚革であること、
を特徴とする、前記の合皮製品又は革製品に使用される合皮又は革の部材である。
【００８０】
（２）
【００８１】
「豚革」は、固くも柔らかくもでき、半透明に加工することもでき、その軽さと通気の良さ、摩擦に対する強さなどが、特徴として挙げられる。用途としては、「財布」「鞄」「コート」「手袋」「靴の内張り革」などとして使われることが多い。軽さや通気性の良さ、摩擦に対する強さから手袋や靴など湿気がこもりやすく、摩擦にさらされる環境にもよく用いられる。
【００８２】
（３）
【００８３】
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【考案の効果】
【００８４】
上記のように、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
【図面の簡単な説明】
【００８５】
【図１】本願に係る合皮又は革の部材を使用した合皮製品又は革製品の一例。
【図２】本願に係る合皮又は革の部材の一例。
【考案を実施するための形態】
【００８６】
以下、本考案に係る合皮又は革の部材の実施形態の例を説明する。
パンチング加工してから、表革と内革とを一体化させて製造する方法と、表革と内革とを一体化させてからパンチング加工して製造する方法が、考えられる。
【００８７】
１、
まず、パンチング加工してから、表革と内革とを一体化させる方法を説明する。
【００８８】
（１）
【００８９】
１つの例として、
表革と内革とに、それぞれパンチング加工がされ、
当該表革のパンチング加工により開いた穴の数が、当該内革のパンチング加工により開いた穴の数よりも多く、
当該パンチング加工により開いた穴を基準として、当該表革と当該内革とを一体化させることにより、前記表革と前記内革とから構成される、合皮製品又は革製品に使用される合皮又は革の部材を製造することが考えられる。
【００９０】
「革」とは、動物の皮膚を生のまま、もしくは、なめしてあるものを指し、天然皮革、本革ともいう。「革」の種類として、哺乳類（牛、豚、馬、羊、山羊、カンガルー等）、爬虫類、鳥類、魚類、の革がある。
「合皮」とは、皮革に似せて作られた人工素材である「人造皮革」の俗称であって、「合皮」には、「合成皮革」、「人工皮革」の種類がある。
「合成皮革」は、天然の布地を基材とし、合成樹脂を塗布したものである。
「人工皮革」は、マイクロファイバーの布地（通常不織布）に合成樹脂を含浸させたものを、そのまま使うか、それを基材とし合成樹脂を塗布したものである。
【００９１】
「表革」とは、合皮製品又は革製品の製造に使用される際に表面となる、合皮又は革による部材である。
「内革」とは、合皮製品又は革製品の製造に使用される際に裏面（内側面）となる、合皮又は革による部材である。
合皮製品又は革製品に使用される合皮又は革の部材となるため、他の部材との組み合わせ等の関係上、「表革」と「内革」との大きさが、必ずしも一致している必要まではない。
【００９２】
「パンチング加工」とは、材料に穴をあける加工作業をいい、本願では、合皮又は革による部材や、補強部材に穴を開ける加工をいう。
また、「パンチング加工」は、人手による加工も、機械による加工も、両方含まれる。
但し、本願でいう「パンチング加工」は、円形の穴だけでなく、デザイン性の観点も考慮し三角や四角等の多角形の形状の穴、ハートマーク形状の穴、星形状の穴、キャラクターのマークの形の穴、等の、各種の形状の穴も含む。
「パンチング加工」によりあける穴の大きさは、様々な大きさが考えられるが、例えば、直径１ｍｍから５０ｍｍとすることが考えられる。
【００９３】
「表革のパンチング加工により開いた穴の数が、内革のパンチング加工により開いた穴の数よりも多い」ことにより、「パンチング加工により開いた穴を基準として、表革と内革とを一体化させる」際に、表革のパンチング加工により開いた穴と内革のパンチング加工により開いた穴との全体又は一部が一致する部分も生じるし、表革のパンチング加工により開いた穴が内革で塞がれる部分も生じる。
「パンチング加工により開いた穴を基準として、表革と内革とを一体化させる」とは、合皮製品又は革製品に使用される合皮又は革の部材として機能するように、接着剤等で一体化させることを意味する。接着剤等は、無機系、有機系、等の各種の接着剤が考えられる。
「合皮製品又は革製品」の例として、衣服・衣料品（コート、パンツ、ライディングウェアなど）、装身具、革靴、鞄、ベルト、サスペンダー、椅子の表張り、自動車のシートやダッシュボード、などが該当する。
【００９４】
表革のパンチング加工により開いた穴の数が、当該内革のパンチング加工により開いた穴の数よりも多いため、「パンチング加工により開いた穴を基準として、表革と内革とを一体化させる」際に、表革のパンチング加工により開いた穴と内革のパンチング加工により開いた穴との全体又は一部が一致する部分も生じるし、表革のパンチング加工により開いた穴が内革で塞がれる部分も生じる。
これにより、表革のパンチング加工により開いた穴と内革のパンチング加工により開いた穴との全体又は一部が一致する部分は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
また、表革のパンチング加工により開いた穴が内革で塞がれる部分は、内革の色や模様が表革のパンチングの穴から見えることになるため、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【００９５】
（２）
【００９６】
他の例として、
表革と内革とに、それぞれパンチング加工がされ、
当該表革と当該内革との間の一部に、補強部材をはさみこんで、
前記パンチング加工により開いた穴を基準として、当該表革と当該内革とを一体化させることにより、前記表革と前記補強部材と前記内革とから構成される、合皮製品又は革製品に使用される合皮又は革の部材を製造することが考えられる。
【００９７】
「表革と内革との間の一部に、補強部材をはさみこんで」とは、表革と内革とが重なる部分のうち、一部に、補強部材をはさみこんで、という意味である。
「パンチング加工により開いた穴を基準として、表革と内革とを一体化させる」際に、表革のパンチング加工により開いた穴と内革のパンチング加工により開いた穴との全体又は一部が一致する部分が生じる可能性もあるし、表革のパンチング加工により開いた穴が内革で塞がれる部分も生じる可能性もある。
「パンチング加工により開いた穴を基準として、一体化させる」とは、一体化させる部材のパンチング加工により開いた穴が同数である必要まではないし、一体化させる部材のパンチング加工により開いた穴どうしの位置が一致する部分（全体又は一部が一致する部分）がある程度生じればよい、というくらいの意味である。
なお、「表革と内革との間の一部に、補強部材をはさみこんで」いるため、当該補強部材をはさみこんでいる部分が、表革のパンチング加工により開いた穴と内革のパンチング加工により開いた穴との全体又は一部が一致する部分に該当する場合もあるし、一致しない部分に該当する場合もある。
「補強部材」とは、合皮又は革の部材の補強のための部材であって、その材料は、シート状又はテープ状の透明・半透明・不透明の不織布や、繊維製品に用いられる芯材（襟芯・帯芯等）、が考えられる。また、着色された補強部材も考えられるし、パンチング加工されていない補強部材も、パンチング加工された補強部材も考えられる。
【００９８】
補強部材をはさみこんでいる部分が、表革のパンチング加工により開いた穴と内革のパンチング加工により開いた穴との全体又は一部が一致する部分に該当する場合は、補強部材の色や模様が表革のパンチングの穴から見えることになり、光の透過性を高めることができ、デザイン性の追及に活用することができる。
補強部材をはさみこんでいない部分が、表革のパンチング加工により開いた穴と内革のパンチング加工により開いた穴との全体又は一部が一致する部分に該当する場合は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
補強部材をはさみこんでいない部分が、表革のパンチング加工により開いた穴と内革のパンチング加工により開いた穴との全体又は一部が一致する部分に該当しない場合は、内革の色や模様が表革のパンチングの穴から見えることになり、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【００９９】
（３）
【０１００】
他の例として、
表革と内革と補強部材とに、それぞれパンチング加工がされ、
当該表革のパンチング加工により開いた穴の数が、当該補強部材のパンチング加工により開いた穴の数よりも多く、
当該表革と当該内革との間に、当該補強部材をはさみこんで、
前記パンチング加工により開いた穴を基準として、当該表革と当該補強部材と当該内革とを一体化させることにより、前記表革と前記補強部材と前記内革とから構成される、合皮製品又は革製品に使用される合皮又は革の部材を製造することが考えられる。
【０１０１】
合皮製品又は革製品に使用される合皮又は革の部材となるため、他の部材との組み合わせ等の関係上、「表革」と「内革」と「補強部材」との大きさが、必ずしも一致している必要まではない。
「表革のパンチング加工により開いた穴の数が、補強部材のパンチング加工により開いた穴の数よりも多い」ことにより、「パンチング加工により開いた穴を基準として、表革と補強部材と内革とを一体化させる」際に、表革のパンチング加工により開いた穴と内革のパンチング加工により開いた穴や補強部材のパンチング加工により開いた穴との全体又は一部が一致する部分も生じるし、表革のパンチング加工により開いた穴が補強部材や内革で塞がれる部分も生じる。
「パンチング加工により開いた穴を基準として、表革と補強部材と内革とを一体化させる」とは、合皮製品又は革製品に使用される合皮又は革の部材として機能するように、接着剤等で一体化させることを意味する。
【０１０２】
表革のパンチング加工により開いた穴の数が、補強部材のパンチング加工により開いた穴の数よりも多いため、「パンチング加工により開いた穴を基準として、表革と補強部材と内革とを一体化させる」際に、表革のパンチング加工により開いた穴と内革のパンチング加工により開いた穴や補強部材のパンチング加工により開いた穴との全体又は一部が一致する部分も生じるし、表革のパンチング加工により開いた穴が補強部材や内革で塞がれる部分も生じる。
これにより、表革のパンチング加工により開いた穴と、内革のパンチング加工により開いた穴及び補強部材のパンチング加工により開いた穴との全体又は一部が一致する部分は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
また、表革のパンチング加工により開いた穴が補強部材又は内革で塞がれる部分は、補強部材又は内革の色や模様が表革のパンチングの穴から見えることになるため、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【０１０３】
（４）
【０１０４】
他の例として、
上記の製造した合皮製品又は革製品に使用される合皮又は革の部材について、
前記表革のパンチング加工により開いた穴から見える、
前記補強部材の色や模様の集合、
前記内革の色や模様の集合、
前記補強部材及び内革のパンチング加工により開いた穴の集合、
により、模様を表現して、製造することが考えられる。
【０１０５】
「表革のパンチング加工により開いた穴から見える、補強部材の色や模様の集合」とは、表革のパンチング加工により開いた穴から見える、パンチング加工による穴が開いていない補強部材の色や模様の集合をいう。
「表革のパンチング加工により開いた穴から見える、内革の色や模様の集合」とは、表革のパンチング加工により開いた穴から、パンチング加工により補強部材に開いた穴を通して見える、パンチング加工による穴が開いていない内革の色や模様の集合をいう。
「表革のパンチング加工により開いた穴から見える、補強部材の色や模様の集合、内革の色や模様の集合、補強部材及び内革のパンチング加工により開いた穴の集合、により、模様を表現した」とは、補強部材の色や模様の集合のみで模様を表現する場合も含むし、内革の色や模様の集合のみで模様を表現する場合も含むし、補強部材及び内革のパンチング加工により開いた穴の集合のみで模様を表現する場合も含むし、これらの集合の組み合わせで模様を表現する場合も含む。
「集合により表現する模様」の例として、星形、円形、四角、ひし形、キャラクターの図形、ブランドマーク、ロゴマーク等の各種の模様が該当する。
【０１０６】
表革のパンチング加工により開いた穴から見える、補強部材の色や模様の集合、内革の色や模様の集合、補強部材及び内革のパンチング加工により開いた穴の集合、により、模様を表現することで、デザイン性の追及に活用することができる。
また、補強部材及び内革のパンチング加工により開いた穴の集合、により、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【０１０７】
２、
次に、表革と内革とを一体化させてからパンチング加工して製造する方法を説明する。
【０１０８】
（１）
【０１０９】
１つの例として、
表革と内革とを一体化させた後に、
表革方向から、パンチング加工がされ、
当該パンチング加工は、
当該表革及び内革に穴を開けている部分もあり、
当該表革のみに穴を開け、当該内革には穴を開けない部分があること、
を特徴とする、前記表革と前記内革とから構成される、合皮製品又は革製品に使用される合皮又は革の部材が考えられる。
【０１１０】
パンチング加工により、表革及び内革に穴を開けている部分もあり、表革のみに穴を開け、当該内革には穴を開けない部分があるため、表革のパンチング加工により開いた穴と内革のパンチング加工により開いた穴とが一致する部分も生じるし、表革のパンチング加工により開いた穴が内革で塞がれる部分も生じる。
これにより、表革のパンチング加工により開いた穴と内革のパンチング加工により開いた穴とが一致する部分は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
また、表革のパンチング加工により開いた穴が内革で塞がれる部分は、内革の色や模様が表革のパンチングの穴から見えることになるため、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【０１１１】
（２）
【０１１２】
他の例として、
表革と内革との間の一部に、補強部材をはさみこんで、表革と内革とを一体化させた後に、
少なくとも、表革方向からパンチング加工がされ、
当該パンチング加工は、
当該表革、補強部材及び内革に穴を開けている部分もあり、
当該表革に穴を開けつつも、当該補強部材及び内革には穴を開けない部分があること、
を特徴とする、前記表革と前記補強部材と前記内革とから構成される、合皮製品又は革製品に使用される合皮又は革の部材が考えられる。
【０１１３】
「少なくとも、表革方向からパンチング加工がされ」とは、表革と内革との間の一部に、補強部材をはさみこんで、表革と内革とを一体化させた後に、少なくとも表革方向からパンチング加工がされ、内革方向からのパンチング加工がされるか否かは、必須ではない（される場合も、されない場合も含む）、という意味である。
【０１１４】
補強部材をはさみこんでいる部分が、表革のパンチング加工により開いた穴と内革のパンチング加工により開いた穴との全体又は一部が一致する部分に該当する場合は、補強部材の色や模様が表革のパンチングの穴から見えることになり、光の透過性を高めることができ、デザイン性の追及に活用することができる。
補強部材をはさみこんでいない部分が、表革のパンチング加工により開いた穴と内革のパンチング加工により開いた穴との全体又は一部が一致する部分に該当する場合は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
補強部材をはさみこんでいない部分が、表革のパンチング加工により開いた穴と内革のパンチング加工により開いた穴との全体又は一部が一致する部分に該当しない場合は、内革の色や模様が表革のパンチングの穴から見えることになり、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【０１１５】
（３）
【０１１６】
他の例として、
表革と内革との間に、補強部材をはさみこんで、表革と内革とを一体化させた後に、
表革方向からパンチング加工がされ、
当該表革方向からのパンチング加工は、
当該表革、補強部材及び内革に穴を開けている部分もあり、
当該表革に穴を開けつつも、当該補強部材には穴を開けない部分があること、
前記表革方向からパンチング加工された部分と対応する部分に、
内革方向からパンチング加工がされ、
当該内革方向からのパンチング加工は、
当該内革、補強部材及び表革に穴を開けている部分もあり、
当該内革に穴を開けつつも、当該補強部材には穴を開けない部分があること、
を特徴とする、前記表革と前記補強部材と前記内革とから構成される、合皮製品又は革製品に使用される合皮又は革の部材が考えられる。
【０１１７】
「表革方向からパンチング加工された部分と対応する部分」とは、表革方向からパンチング加工により開いた穴と全体又は一部が一致する、対応する内革の部分に、という意味である。
【０１１８】
表革方向からのパンチング加工及び内革方向からのパンチング加工により、表革、補強部材及び内革に穴を開けている部分もあり、表革及び内革に穴を開けつつも、当該補強部材には穴を開けない部分もある。よって、表革及び内革のパンチング加工により開いた穴と補強部材のパンチング加工により開いた穴との全体又は一部が一致する部分も生じるし、表革のパンチング加工により開いた穴や、内革のパンチング加工により開いた穴が、補強部材で塞がれる部分も生じる。
これにより、表革及び内革のパンチング加工により開いた穴と補強部材のパンチング加工により開いた穴との全体又は一部が一致する部分は、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
また、表革及び内革のパンチング加工により開いた穴が補強部材で塞がれる部分は、補強部材の色や模様が表革のパンチングの穴から見えることになるため、デザイン性の追及に活用することができる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【０１１９】
（４）
【０１２０】
他の例として、
前記表革のパンチング加工により開いた穴から見える、
前記補強部材の色や模様の集合、
前記内革の色や模様の集合、
前記補強部材及び内革のパンチング加工により開いた穴の集合、
により、模様を表現したこと、
を特徴とする、前記の合皮製品又は革製品に使用される合皮又は革の部材が考えられる。
【０１２１】
表革のパンチング加工により開いた穴から見える、補強部材の色や模様の集合、内革の色や模様の集合、補強部材及び内革のパンチング加工により開いた穴の集合、により、模様を表現することで、デザイン性の追及に活用することができる。
また、補強部材及び内革のパンチング加工により開いた穴の集合、により、通常の革製品に比べ、通気性や光の透過性を高めることができる。この結果、においがこもったりすることもある合皮製品又は革製品について、においが付きにくく、においを逃がすことができる。さらに、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【０１２２】
３、
続いて、上記の製造の方法に加え、以下のような考案を追加することも考えられる。
【０１２３】
（１）
【０１２４】
前記補強部材は、透光性を有する材料でできていること、
を特徴とする、前記の合皮製品又は革製品に使用される合皮又は革の部材が考えられる。
【０１２５】
「透光性を有する材料」として、例えば、透明・半透明の不織布や、繊維製品に用いられる芯材（襟芯・帯芯等）、また、これらを着色したものも考えられる。
【０１２６】
補強部材が、透光性を有することにより、表革及び内革のパンチング加工により開いた穴が補強部材で塞がれる部分は、光の透過性を高めることができ、デザイン性の追及に活用することができる。
また、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、光の効果を利用したディスプレイが実現できる。
【０１２７】
（２）
【０１２８】
前記補強部材は、厚みが一定ではなく、
当該補強部材の厚みの凸凹により、前記表革から見て模様を表現したこと、
を特徴とする、前記の合皮製品又は革製品に使用される合皮又は革の部材が考えられる。
【０１２９】
補強部材は、厚みが一定ではなく、当該補強部材の厚みの凸凹により、表革から見て模様を表現しているため、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【０１３０】
（３）
【０１３１】
前記表革と前記内革の、両方又は一方が、豚革であること、
を特徴とする、前記の合皮製品又は革製品に使用される合皮又は革の部材が考えられる。
【０１３２】
「豚革」は、固くも柔らかくもでき、半透明に加工することもでき、その軽さと通気の良さ、摩擦に対する強さなどが、特徴として挙げられる。用途としては、「財布」「鞄」「コート」「手袋」「靴の内張り革」などとして使われることが多い。軽さや通気性の良さ、摩擦に対する強さから手袋や靴など湿気がこもりやすく、摩擦にさらされる環境にもよく用いられる。
【０１３３】
これにより、従来の革製品についての「パンチング加工」では、通気性や光の透過性は高まるものの、革の素材としての強度が低下してしまう、という不都合があったが、本願に係る考案では、従来品よりも強度を保ちつつも、通気性や、光の透過性を高めることができ、デザイン性の追及に活用することができる。
【０１３４】
４、
最後に、図面を使いながら簡単に説明する
【０１３５】
（１）
【０１３６】
図２は、本願に係る合皮又は革の部材の一例である。
同図に示すように、合皮又は革の部材は、表革と内革との間に、補強部材をはさみこんで、表革と内革とを一体化させた構造になっている。
同図では、表革方向から見た図であるため、表革、補強部材、内革の順番になっている。
黒い丸の部分が、「表革、内革、補強部材のパンチング穴が一致する部分」、すなわち、穴が補強部材によりふさがれていない部分であり、この穴があることにより、透光性、通気性が高まる。
白い丸の部分は、「表革、内革のパンチング穴を、補強部材がふさぐ部分」であり、透光性の高い材料を補強部材に採用すれば、透光性が高まる。
【０１３７】
（２）
【０１３８】
図１は、本願に係る合皮又は革の部材を使用した合皮製品又は革製品の一例である。
すなわち、図２のような構造の合皮又は革の部材を使用して、合皮製品又は革製品のうち、一例として製造したブーツを図示したものが、図１である。
同図に示すように、「表革、内革、補強部材のパンチング穴が一致する部分」、穴が補強部材によりふさがれていない部分の集合、つまり、表革のパンチング加工により開いた穴から見える補強部材及び内革のパンチング加工により開いた穴の集合、により、各種の模様を表現している。
「集合により表現する模様」の例として、文字、図形、記号、星形、円形、四角、ひし形、キャラクターの図形、ブランドマーク、ロゴマーク等の各種の模様が該当する。
図１における模様として、ブランドマーク、ロゴマーク等の模様を採用すれば、合皮製品又は革製品をディスプレイする際に、合皮製品又は革製品の内側に、発光する照明具（ＬＥＤ照明具、電球、蛍光灯等）を置くと、合皮製品又は革製品の表革から光が漏れて、ブランドマーク、ロゴマークを浮かび上がらせることができ、光の効果を利用したディスプレイが実現できる。
図１では、「表革、内革のパンチング穴を、補強部材がふさぐ部分」、すなわち、表革のパンチング加工により開いた穴から見える、補強部材の色や模様の集合は、表現された模様の以外の部分となっている。
しかし、「表革、内革のパンチング穴を、補強部材がふさぐ部分」、すなわち、表革のパンチング加工により開いた穴から見える、補強部材の色や模様の集合により、模様を表現してもよい。
【産業上の利用可能性】
【０１３９】
本願に関する合皮又は革の部材を製造、販売したり、本願に関する合皮又は革の部材を使用して合皮製品又は革製品を製造、販売することにより、産業の発達に寄与することができる。
【図１】
0003179332.tif 000003
【図２】
0003179332.tif 000004